(57)【要約】【課題】画像の用途に応じた画像サイズに変換してから送信を行うこと。【解決手段】リサイズ設定部１０８ａは、画像の用途を設定し、リサイズ実行部１０８ｂは、画像を設定した画像の用途に応じた画像サイズに変更する。そして、通信制御部１０８ｄは、画像サイズを変更した後の画像を送信先の機器へ送信する。【選択図】図１
2008263351.tif 000002
【特許請求の範囲】
【請求項１】
画像を接続された機器に送信するための画像送信装置であって、
前記画像の用途を設定する用途設定手段と、
前記画像のサイズを前記用途設定手段で設定した前記画像の用途に応じた画像サイズに変更する画像サイズ変更手段と、
前記画像サイズ変更手段で画像サイズを変更した後の画像を前記機器へ送信する送信制御手段とを備えることを特徴とする画像送信装置。
【請求項２】
請求項１に記載の画像送信装置において、
前記機器へ送信する画像を選択する画像選択手段をさらに備え、
前記画像選択手段は、使用者からの指示に基づいて、不揮発性メモリに記録されている画像を一括で選択するか、または前記不揮発性メモリに記録されている画像の中から使用者によって指定された特定の画像を選択するかを決定することを特徴とする画像送信装置。
【請求項３】
請求項１または２に記載の画像送信装置において、
前記画像サイズ変更手段で画像サイズを変更した後の画像を一時記録用のメモリに記録する記録制御手段をさらに備え、
前記送信制御手段は、前記一時記録用のメモリに記録されている画像を前記機器へ送信し、
前記記録制御手段は、前記送信制御手段による画像の送信が完了したことを検出したときに、前記一時記録用のメモリから画像を削除することを特徴とすることを特徴とする画像送信装置。
【請求項４】
請求項３に記載の画像送信装置において、
前記記録制御手段は、前記送信制御手段が前記一時記録用のメモリに記録されている画像を前記機器へ送信できなかった場合には、前記一時記録用のメモリに記録されている画像を前記不揮発性メモリに記録して退避することを特徴とする画像送信装置。
【請求項５】
請求項３に記載の画像送信装置において、
前記記録制御手段は、前記送信制御手段が前記一時記録用のメモリに記録されている画像を前記機器へ送信できなかった場合には、使用者に対して前記一時記録用のメモリに記録されている画像を前記不揮発性メモリへ記録するか否かを問い合わせ、使用者によって記録するように指示された場合に、前記一時記録用のメモリに記録されている画像を前記不揮発性メモリに記録して退避することを特徴とする画像送信装置。
【請求項６】
請求項４または５に記載の画像送信装置において、
前記画像送信装置は、使用者によって前記不揮発性メモリに退避した画像の再送信が指示された場合には、前記不揮発性メモリに退避した画像を読み込んで、前記機器へ送信することを特徴とする画像送信装置。
【請求項７】
請求項１〜６のいずれか一項に記載の画像送信装置において、
前記画像の用途に応じた画像サイズは、あらかじめ設定された画像サイズ、または使用者によって設定された画像サイズのいずれかであることを特徴とする画像送信装置。
【請求項８】
被写体像を撮像して画像を取得する画像取得手段と、
請求項１〜７のいずれか一項に記載の画像送信装置とを備え、
前記画像送信装置は、前記画像取得手段で取得した画像を対象として処理を行うことを特徴とする撮像装置。
【発明の詳細な説明】
【技術分野】
【０００１】
本発明は、画像を送信するための画像送信装置、およびそれを備えた撮像装置に関する。
【背景技術】
【０００２】
次のような画像サイズ変換装置が知られている。この装置は、携帯電話機から、その携帯電話機が備える画像表示装置の表示能力を示す属性情報を取得する。そして、取得した属性情報に基づいて、画像を、携帯電話機が備える画像表示装置の表示能力に応じた画像サイズに変換してから携帯電話機に送信する（例えば、特許文献１）。
【０００３】
【特許文献１】特開２００３−１３４３３４号公報
【発明の開示】
【発明が解決しようとする課題】
【０００４】
しかしながら、従来の画像サイズ変換装置においては、あらかじめ携帯電話から画像表示装置の表示能力を示す属性情報を取得する必要があり、属性情報が取得できない場合には、最適な画像サイズの画像を送信できないという問題があった。
【課題を解決するための手段】
【０００５】
本発明による画像送信装置は、画像の用途を設定し、画像を設定した画像の用途に応じた画像サイズに変更し、画像サイズを変更した後の画像を機器へ送信することを特徴とする。
本発明では、機器へ送信する画像を選択するに当たって、使用者からの指示に基づいて、不揮発性メモリに記録されている画像を一括で選択するか、または不揮発性メモリに記録されている画像の中から使用者によって指定された特定の画像を選択するかを決定するようにしてもよい。
画像サイズを変更した後の画像を一時記録用のメモリに記録し、一時記録用のメモリに記録されている画像を機器へ送信し、画像の送信が完了したことを検出したときに、一時記録用のメモリから画像を削除するようにしてもよい。
一時記録用のメモリに記録されている画像を機器へ送信できなかった場合には、一時記録用のメモリに記録されている画像を不揮発性メモリに記録するようにしてもよく、一時記録用のメモリに記録されている画像を機器へ送信できなかった場合には、使用者に対して一時記録用のメモリに記録されている画像を不揮発性メモリへ記録するか否かを問い合わせ、使用者によって記録するように指示された場合に、一時記録用のメモリに記録されている画像を不揮発性メモリに記録するようにしてもよい。
使用者によって不揮発性メモリに退避した画像の再送信が指示された場合には、不揮発性メモリに退避した画像を読み込んで、機器へ送信するようにしてもよい。
さらに、画像の用途に応じた画像サイズは、あらかじめ設定された画像サイズ、または使用者によって設定された画像サイズのいずれかであることが好ましい。
本発明による撮像装置は、上記画像送信装置を備え、被写体像を撮像して画像を取得し、取得した画像を対象として処理を行うことを特徴とする。
【発明の効果】
【０００６】
本発明によれば、最適な画像サイズの画像を送信することができる。
【発明を実施するための最良の形態】
【０００７】
図１は、本実施の形態におけるカメラの一実施の形態の構成を示すブロック図である。カメラ１００は、例えばデジタルカメラであって、レンズ１０１と、撮像素子１０２と、画像処理回路１０３と、メモリインタフェース１０４と、メモリ１０５と、表示装置１０６と、操作部材１０７と、ＣＰＵ１０８と、無線モジュール１０９と、フラッシュメモリ１１０と、画像保存部１１１とを備えている。１０１〜１１０の各要素（メモリ１０５およびＣＰＵ１０８を除く）は、ＣＰＵ１０８によって制御される。
【０００８】
レンズ１０１は、複数の光学レンズから構成されるが、図１では代表して１枚のレンズで表している。撮像素子１０２は、例えばＣＣＤやＣＭＯＳが用いられ、レンズ１０１を通して入力される被写体像を撮像して、撮像して得た画像信号を画像処理回路１０３へ出力する。なお、撮像素子１０２は、使用者による操作部材１０７に含まれるレリーズボタンが押下されることにより被写体像の撮像を行う。
【０００９】
画像処理回路１０３は、撮像素子１０２から入力されるアナログ画像信号をデジタル画像信号に変換（Ａ／Ｄ変換）する。また、画像処理回路１０３は、Ａ／Ｄ変換後のデジタル画像信号（画像データ）に対して、公知の階調補正処理や輪郭強調処理などの種々の画像処理を施した後、所定の画像形式に圧縮して画像ファイルを生成し、メモリインタフェース１０４へ出力する。なお、画像処理回路１０３は、バッファメモリ（一時記録用のメモリ）としての画像保存部１１１、例えばＳＤＲＡＭなどの揮発性メモリ上で上記の画像処理を実行する。
【００１０】
メモリインタフェース１０４は、例えばメモリカードスロットであって、スロット内に格納された記録媒体としてのメモリ１０５、例えばメモリカード（不揮発性メモリ）内に画像ファイルを記録する。なお、画像処理回路１０３は、内蔵メモリとしてのフラッシュメモリ１１０（不揮発性メモリ）内に画像ファイルを出力して記録することもできる。
【００１１】
表示装置１０６は、例えばカメラ１００の背面に搭載されたモニタであって、ＣＰＵ１０８からの指示に基づいて、メモリ１０５内に記録された画像の再生画像やカメラ１００を設定するためのメニュー画面等を表示する。操作部材１０７は、使用者によって操作される種々のスイッチやボタンを含んでいる。例えば、操作部材１０７には、電源ボタン、再生ボタン、モードスイッチ、レリーズボタン、ズームボタン、メニューボタン、十字ボタン、決定ボタンなどが含まれる。
【００１２】
ＣＰＵ１０８は、上述したようにカメラ１００が備える各要素を制御する。また、フラッシュメモリ１１０に記録されたプログラムを読み込んで実行することによって、後述する種々の処理を実行する。無線モジュール１０９は、例えば無線ＬＡＮモジュールであって、あらかじめ構築されている無線ＬＡＮネットワークに接続して、ネットワーク内の他の機器、サーバーやプリンタ等と無線通信（ワイヤレス通信）を行うことができる。
【００１３】
本実施の形態におけるカメラ１００においては、ＣＰＵ１０８は、メモリインタフェース１０４に挿入された記録媒体としてのメモリカード（メモリ１０５）に記録されている画像ファイルを、無線モジュール１０９を介して外部の機器へ無線通信を介して送信することができる。ＣＰＵ１０８は、画像ファイルを外部の装置に送信するに当たっては、あらかじめ、画像の大きさ（画像サイズ）を画像の用途に応じて変更（リサイズ）しておく。これによって、画像の用途に応じた最適な画像サイズにリサイズしてから、送信先の機器へ画像ファイルを送信することができる。
【００１４】
なお、画像の用途としては、例えば、メールに添付するためのメール送信用、ブログに掲載するためのブログ掲載用、ワイヤレス接続されたプリンタへ出力して印刷するためのワイヤレスプリント用、およびオンラインアルバムに掲載するためのオンラインアルバム掲載用がある。なお、各用途についての説明、および各用途に応じた画像サイズについて、以下の（Ａ）〜（Ｄ）に示す。
【００１５】
（Ａ）画像の用途がメール送信用である場合
この場合には、画像をメールに添付するのに適した画像サイズ、例えば６４０ｐｉｘｅｌ×４８０ｐｉｘｅｌの大きさにリサイズする。そして、使用者は、画像をメール送信用として使用するためには、操作部材１０７を操作してメールソフトを起動し、メールソフト上で送信相手のメールアドレスを指定した上で、リサイズ後の画像ファイルを添付して通信相手のサーバー（メールサーバー）へ送信する。
【００１６】
（Ｂ）画像の用途がブログ掲載用である場合
この場合には、画像をブログに掲載するのに適した画像サイズ、例えば１０２４ｐｉｘｅｌ×７６８ｐｉｘｅｌの大きさにリサイズする。そして、使用者は、画像をブログ掲載用として使用するためには、操作部材１０７を操作して表示装置１０６上にブログの記事を書くための画面を呼び出し、当該画面上で記事内にリサイズ後の画像を貼り付けて通信相手のサーバー（ブログサービス提供サーバー）へ送信する。
【００１７】
（Ｃ）画像の用途がワイヤレスプリント用である場合
この場合には、画像を印刷に適した画像サイズ、例えばＬ版サイズにリサイズする。そして、使用者は、画像をワイヤレスプリント用として使用するためには、操作部材１０７を操作して出力先のワイヤレスプリンタを指定し、指定したワイヤレスプリンタへリサイズ後の画像ファイルを送信する。
【００１８】
（Ｄ）画像の用途がオンラインアルバム掲載用である場合
この場合には、撮影した画像サイズのままオンラインアルバムへ掲載することが好ましいことを加味して、画像のリサイズは行なわない。そして、使用者は、画像をオンラインアルバム掲載用として使用するためには、操作部材１０７を操作して表示装置１０５上にオンラインアルバムに画像を掲載するための専用画面を表示し、当該画面上でオンラインアルバムに掲載したい画像を選択する。そして、選択した画像を通信相手のサーバー（オンラインアルバムサービス提供サーバー）へ送信する。
【００１９】
なお、（Ａ）〜（Ｃ）に示した各用途に応じた画像のサイズは、あらかじめ設定されてフラッシュメモリ１１０に記録されている。また、メールサーバー、ブログサービス提供サーバー、またはオンラインアルバムサービス提供サーバーと通信を行うために必要な通信相手のサーバーを特定するための情報、例えばサーバーのＵＲＬやＩＰアドレスは、使用者によってあらかじめ設定されているものとする。
【００２０】
ＣＰＵ１０８は、画像の用途に応じた画像サイズにリサイズを行った後に送信先の機器へ送信するための処理を実行するために、リサイズ設定部１０８ａと、リサイズ実行部１０８ｂと、記録制御部１０８ｃと、通信制御部１０８ｄとを有している。以下、ＣＰＵ１０８が備える各部によって実行される処理について説明する。
【００２１】
リサイズ設定部１０８ａは、使用者による操作部材１０７の操作に基づいて、画像の用途に応じたリサイズを行うか否かを切り替える。すなわち自動サイズのオンおよびオフを切り替える。そして、使用者によって自動リサイズがオンされたときに、リサイズ実行部１０８ｂによる自動リサイズの実行を許可する。
【００２２】
使用者によって自動リサイズがオンされた場合には、リサイズ設定部１０８ａは、さらに画像のリサイズを行うために必要な設定を行うように使用者に促す。すなわち、使用者に対して、メモリ１０５に記録されている画像の中から送信先へ送信する画像（送信画像）を選択するように促し、さらに使用者に対して画像の用途を選択するように促す。
【００２３】
本実施の形態では、使用者は、メモリ１０５に記録されている全ての画像をリサイズを行なう画像として一括して選択するための一括リサイズモードと、メモリ１０５に記録されている画像の中からリサイズを行いたい画像のみを選択するための画像指定リサイズモードのいずれかをリサイズモードとして選択することができる。使用者によって一括リサイズモードが選択された場合には、リサイズ設定部１０８ａは、メモリ１０５に記録されている全ての画像をリサイズ対象の画像、すなわち送信画像として特定する。一方、使用者によって画像指定リサイズモードが選択された場合には、リサイズ設定部１０８ａは、使用者によって選択された画像のみを送信画像として特定する。
【００２４】
例えば、使用者によって画像指定リサイズモードが選択された場合には、リサイズ設定部１０８ａは、メモリ１０５に記録されている画像を表示装置１０６に一覧表示することによって、使用者に対して送信画像の選択を促す。そして、使用者が操作部材１０７を操作して一覧からいずれかの画像を選択したときに、その選択された画像を送信画像として特定する。また、リサイズ設定部１０８ａは、表示装置１０６に画像の用途の一覧を表示することによって、使用者に対して画像の用途の選択を促す。そして、使用者が操作部材１０７を操作して選択画面上でいずれかの用途を選択すると、その選択された用途を画像の用途として設定する。
【００２５】
リサイズ実行部１０８ｂは、リサイズ設定部１０８ａによって設定された画像の用途に
応じた画像サイズをフラッシュメモリ１１０から読み込んで取得する。そして、上述したようにリサイズ設定部１０８ａで特定した送信画像の画像サイズ（変更前サイズ）と、画像の用途に応じた画像サイズ（変更後サイズ）とを比較する。そして、リサイズ実行部１０８ｂは、変更前サイズと変更後サイズとが一致する場合には、リサイズを行わないようにし、一致しない場合には、変更前サイズから変更後サイズにリサイズする。
【００２６】
例えば、送信画像の変更前サイズが１０２４ｐｉｘｅｌ×７６８ｐｉｘｅｌである場合に、画像の用途がメール送信用である場合には、送信画像のサイズを６４０ｐｉｘｅｌ×４８０ｐｉｘｅｌの大きさにリサイズする。一方、画像の用途がブログ掲載用である場合には、リサイズを行わない。
【００２７】
記録制御部１０８ｃは、バッファメモリである画像保存部１１１にリサイズ実行部１０８ｂによってリサイズされた後の画像を一時的に記録する。
【００２８】
通信制御部１０８ｄは、画像保存部１１１に一時記憶されたリサイズ後の送信画像を、通信相手の機器へ無線送信する。例えば、画像の用途がメール送信用である場合には、通信制御部１０８ｄは、使用者の指示に基づいてリサイズ後の送信画像が添付されたメールをメールサーバへ送信する。通信制御部１０８ｄは、送信画像の送信が完了した場合には、その旨を記録制御部１０８ｃへ通知する。そして、記録制御部１０８ｃは、画像の送信が完了した旨の通知を受けた場合には、画像保存部１１１に記録しておいたリサイズ後の送信画像を画像保存部１１１内から削除する。
【００２９】
図２は、本実施の形態におけるカメラ１００の処理を示すフローチャートである。図２に示す処理は、カメラ１００の電源がオンされると起動するプログラムとして、ＣＰＵ１０８によって実行される。
【００３０】
ステップＳ１０において、リサイズ設定部１０８ａは、使用者によって自動リサイズがオンされたか否かを判断する。肯定判断した場合には、ステップＳ２０へ進み、リサイズ設定部１０８ａは、使用者によって画像の用途が選択されたか否かを判断する。肯定判断した場合には、ステップＳ３０へ進む。ステップＳ３０では、リサイズ設定部１０８ａは、使用者によって設定された画像の用途に応じて、上述した変更後画像サイズを設定する。なお、ここでは変更後画像サイズをＳｒと表す。その後、ステップＳ４０へ進む。
【００３１】
ステップＳ４０では、リサイズ設定部１０８ａは、使用者によって、上述したリサイズモードが設定されたか否かを判断する。肯定判断した場合には、ステップＳ５０へ進み、リサイズ設定部１０８ａは、使用者によって設定されたリサイズモードが一括リサイズモードであるか、あるいは画像指定リサイズモードであるかを判断する。使用者によって設定されたリサイズモードが一括リサイズモードであると判断した場合には、ステップＳ６０へ進む。
【００３２】
ステップＳ６０では、リサイズ実行部１０８ｂは、記録媒体としてのメモリ１０５に記録されている画像の中から１枚目の画像を読み込んで、ステップＳ７０へ進む。ステップＳ７０では、リサイズ実行部１０８ｂは、メモリ１０５から読み込んだ画像（送信画像）のサイズを変更前画像サイズとして取得する。なお、ここでは変更前画像サイズをＳａと表す。
【００３３】
その後、ステップＳ８０へ進み、リサイズ実行部１０８ｂは、変更前画像サイズＳａと変更後画像サイズＳｒとを比較して、両者が等しいか否かを判断する。否定判断した場合には、ステップＳ９０へ進み、リサイズ実行部１０８ｂは、変更前画像サイズＳａを変更後画像サイズＳｒに一致させるように送信画像をリサイズして、ステップＳ１００へ進む。ステップＳ１００では、記録制御部１０８ｃは、リサイズ後の送信画像をバッファメモリとしての画像保存部１１１に記録して、ステップＳ１１０へ進む。一方、ステップＳ８０で肯定判断した場合には、ステップＳ１００へ進み、送信画像をそのまま画像保存部１１１に記録して、ステップＳ１１０へ進む。
【００３４】
ステップＳ１１０では、リサイズ実行部１０８ｂは、メモリ１０５に記録されている画像の全てについてステップＳ７０〜ステップＳ１００の処理が完了したか否かを判断する。否定判断した場合には、ステップＳ１２０へ進み、リサイズ実行部１０８ｂは、メモリ１０５から次の画像を読み込んで画像保存部１１１へ記録し、ステップＳ７０へ戻る。これに対して、肯定判断した場合には、ステップＳ１９０へ進む。
【００３５】
ステップＳ１９０では、通信制御部１０８ｄは、画像保存部１１１に記録されている送信画像を、無線モジュール１０９を介して通信相手の機器へ無線送信する。その後、ステップＳ２００へ進み、通信制御部１０８ｄは、送信画像の送信が完了したか否かを判断し、肯定判断した場合には、その旨を記録制御部１０８ｃへ通知してステップＳ２１０へ進む。ステップＳ２１０では、記録制御部１０８ｃは、画像保存部１１１に記録されている送信画像を削除して処理を終了する。
【００３６】
次に、ステップＳ５０で使用者によって設定されたリサイズモードが画像指定リサイズモードであると判断した場合の処理について説明する。この場合には、ステップＳ１３０へ進み、リサイズ設定部１０８ａは、使用者によって画像が選択されたか否かを判断する。肯定判断した場合には、ステップＳ１４０へ進み、リサイズ実行部１０８ｂは、使用者によって選択された画像を送信画像として読み込んで、ステップＳ１５０へ進む。ステップＳ１５０では、リサイズ実行部１０８ｂは、画像保存部１１１に記録した画像（送信画像）のサイズを変更前画像サイズＳａとして取得する。
【００３７】
その後、ステップＳ１６０へ進み、リサイズ実行部１０８ｂは、変更前画像サイズＳａと変更後画像サイズＳｒとを比較して、両者が等しいか否かを判断する。否定判断した場合には、ステップＳ１７０へ進み、リサイズ実行部１０８ｂは、変更前画像サイズＳａを変更後画像サイズＳｒに一致させるように送信画像をリサイズして、ステップＳ１８０へ進む。ステップＳ１８０では、記録制御部１０８ｃは、リサイズ後の送信画像をバッファメモリとしての画像保存部１１１に記録して、上述したステップＳ１９０へ進む。一方、ステップＳ１６０で肯定判断した場合には、ステップＳ１８０へ進み、送信画像をそのまま画像保存部１１１に記録して、上述したステップＳ１９０へ進む。
【００３８】
以上説明した本実施の形態によれば、以下のような作用効果を得ることができる。
（１）画像を無線接続された送信先の機器に送信するにあたって、画像の用途を設定し、画像を画像の用途に応じた画像サイズに変更し、画像サイズを変更した後の画像を送信先の機器へ送信するようにした。これによって、あらかじめ画像の用途に応じた最適な画像サイズにリサイズしてからを送信先の機器へ送信することができる。
【００３９】
（２）使用者からの指示に基づいて、送信画像を選択するためのリサイズモードとして、記録媒体に記録されている画像を一括で選択する一括リサイズモードと、使用者によって指定された特定の画像を選択する指定画像リサイズモードとを備えるようにした。これによって、使用者は好みに応じて送信画像の選択方法を指定することができ、使用者の利便性が向上する。
【００４０】
（３）記録制御部１０８ｃは、リサイズ後の画像をバッファメモリとしての画像保存部１１１に一時的に記録し、通信制御部１０８ｄは、画像保存部１１１に記録されているリサイズ後の画像を送信先の機器へ送信するようにした。そして、記録制御部１０８ｃは、通信制御部１０８ｄからの通知に基づいて画像の送信が完了したことを検出したときに、リサイズ後の画像を画像保存部１１１から削除するようにした。これによって、メモリ１０５に記録されている画像（元画像）はそのまま保持したまま、送信する画像のみリサイズして送信することができる。
【００４１】
（４）画像の用途に応じた画像サイズは、あらかじめ設定されてフラッシュメモリ１１０に記録しておくようにした。これによって、使用者は画像の用途に応じた画像サイズを意識することなく、画像の用途を選択するだけで自動的に画像サイズをその用途に応じて変更することができる。
【００４２】
―変形例―
なお、上述した実施の形態のカメラは、以下のように変形することもできる。
（１）上述した実施の形態では、画像の用途に応じた画像サイズは、あらかじめ設定されてフラッシュメモリ１１０に記録しておくようにした。そして、リサイズ設定部１０８ａは、使用者に対して画像の用途の選択を促し、選択された用途に応じてリサイズする画像サイズを設定する例について説明した。しかしながら、使用者がリサイズする画像サイズを任意に指定できるようにしてもよい。例えば、画像の用途がメール送信用である場合に、使用者はメールに添付するのに適した画像サイズとして、例えば６４０ｐｉｘｅｌ×４８０ｐｉｘｅｌという画像サイズを操作部材１０７を操作して設定できるようにしてもよい。これによって、リサイズ後の画像サイズとして設定できる画像サイズの自由度が向上する。
【００４３】
（２）上述した実施の形態では、記録制御部１０８ｃは、リサイズ後の画像を画像保存部１１１に記録しておき、通信制御部１０８ｄによる送信が完了したときに、画像保存部１１１内から画像を削除する例について説明した。しかしながら、通信制御部１０８ｄがリサイズ後の画像を送信できなかった場合、例えば、通信状態が不安定なために送信先の機器との間の無線通信が切断されて画像の送信が完了できなかった場合には、記録制御部１０８ｃは、画像保存部１１１内からリサイズ後の画像を削除せずに、画像保存部１１１内に記録されている送信画像をメモリ１０５またはフラッシュメモリ１１０に記録して退避するようにしてもよい。
【００４４】
そして、使用者によって送信が完了していない画像の再送信が指示された場合には、通信制御部１０８ｄは、メモリ１０５またはフラッシュメモリ１１０に退避してあるリサイズ後の画像を読み込んで、送信先の機器へ送信するようにすればよい。これによって、送信が完了していないリサイズ後の画像はメモリ１０５またはフラッシュメモリ１１０に退避することができ、再送信を行う際に改めてリサイズを行う必要がなくなる。
【００４５】
あるいは、通信制御部１０８ｄが画像保存部１１１内に記録されている送信画像を送信できなかった場合には、記録制御部１０８ｃは、使用者に対して画像保存部１１１内に記録されている送信画像をメモリ１０５またはフラッシュメモリ１１０に退避するか否かを問い合わせるようにする。そして、使用者から退避が指示されたときに、画像保存部１１１内に記録されている送信画像をメモリ１０５またはフラッシュメモリ１１０に記録して退避するようにしてもよい。これによって、画像保存部１１１内に記録されている送信画像を退避するか否かの判断を使用者が自由に決定することができるようになる。
【００４６】
（３）上述した実施の形態では、メモリ１０５に記録されている画像、すなわち静止画を対象としてリサイズおよび送信を行う例について説明した。しかしながら、動画を対象としてリサイズおよび送信を行うようにしてもよい。例えば、カメラ１００が動画撮影機能を備えている場合には、メモリ１０５に記録されている動画の各コマをメール送信用やブログ掲載用といった用途に応じた画像サイズにリサイズしてから送信先の機器に送信するようにしてもよい。
【００４７】
（４）上述した実施の形態では、カメラ（撮像装置）１００において、送信先の機器に応じた画像サイズにリサイズする例について説明した。しかしながら、本発明は、他の機器に無線通信を介して画像を送信するための種々の装置（画像送信装置）にも適用できる。例えば、カメラ付き携帯電話や通信機能を備えたビデオカメラ等に適用することもできる。
【００４８】
なお、本発明の特徴的な機能を損なわない限り、本発明は、上述した実施の形態における構成に何ら限定されない。
【図面の簡単な説明】
【００４９】
【図１】カメラの一実施の形態の構成を示すブロック図である。
【図２】カメラの処理を示すフローチャート図である。
【符号の説明】
【００５０】
１００  カメラ、１０１  レンズ、１０２  撮像素子１０２  画像処理回路、１０４  メモリインタフェース、１０５  メモリ、１０６  表示装置、１０７  操作部材、１０８  ＣＰＵ、１０８ａ  リサイズ設定部、１０８ｂ  リサイズ実行部、１０８ｃ  記録制御部、１０８ｄ  通信制御部、１０９  無線モジュール、１１０  フラッシュメモリ、１１１  画像保存部
【図１】
2008263351.tif 000003
【図２】
2008263351.tif 000004